(57)【要約】      （修正有）【課題】折り返し画像の睫毛や瞼の像が、前眼部断層像の角膜部に重なることを回避して、正確な角膜形状の測定が可能な前眼部光干渉断層撮影装置を提供する。【解決手段】干渉光学系のゼロ点位置を水晶体の中心から水晶体の後面の間に設定することにより、前眼部断層像の折り返し像は水晶体より後方から折り返されて正規の画像と重なるため、折り返し画像の睫毛や瞼の像が、前眼部断層像の角膜部に重なることが避けられ、正確な角膜形状の測定が可能にした。【選択図】図８
2016041162.tif 000002
【特許請求の範囲】
【請求項１】
光干渉を用いて被検眼の前眼部（角膜から水晶体までの範囲）の断層像を取得する前眼部光干渉断層撮影装置において、
干渉光学系のゼロ点位置（測定光路長と参照光路長が一致する位置）を水晶体の中心から水晶体の後面の間に設定することを特徴する前眼部光干渉断層撮影装置。
【発明の詳細な説明】
【技術分野】
【０００１】
本発明は、光断層画像撮影装置に関し、特に眼科医療等に用いられる前眼部解析装置（前眼部光干渉断層撮影装置）に関する。
【背景技術】
【０００２】
近年、眼科検査のために用いられる検査装置として、光干渉断層法（Optical Coherence Tomography：ＯＣＴ）により被検者の被検眼（眼球）の断層画像を撮影する光干渉断層撮影装置が供されてきている。
【０００３】
光干渉断層撮影装置においては、タイムドメイン方式と呼ばれる、ミラーを動かして参照光の光路長を機械的に変化させながら断層画像取得を行うタイムドメインＯＣＴと、フーリエドメイン方式と呼ばれる、分光器を用いてスペクトル情報を検出し断層画像取得を行うスペクトルドメインＯＣＴ、もしくは、波長走査光源を用いてスペクトル干渉信号を検出し断層画像取得を行う光周波数掃引ＯＣＴとがある。
【０００４】
一般にＯＣＴでは、測定光を被検眼に対して一次元走査することで二次元断層画像を取得し（Ｂ−スキャン）、さらに、二次元断層画像を、被検眼に対して位置をずらしながら繰り返し取得することで三次元画像を得る（Ｃ−スキャン）。
【０００５】
スキャンの方法として、図４（ａ）に示すようなラスタースキャンと称される方法がある。このラスタースキャンは、水平方向に延びる走査線に沿って一次元走査（Ｂ−スキャン）することを、垂直方向にずらせながら繰り返し（Ｃ−スキャン）、眼球の三次元画像を撮影するものである。これにより、図４（ｂ）に示すように、各走査線に沿う断層画像を得ることができる。
【０００６】
さらに、別の方法として、図５（ａ）に示すようなラジアルスキャンと称される方法もある。このラジアルスキャンは、放射方向に延びる走査線に沿って一次元走査（Ｂ−スキャン）することを、円周方向にずらせながら繰り返す（Ｃ−スキャン）ものである。これにより、図５（ｂ）に示すように、各走査線に沿う断層画像を得ることができる。
【０００７】
眼科分野においては、上述に従った方法などにより被検眼の前眼部の断層像を撮影し、撮影した角膜や虹彩、水晶体などの断層像から、角膜形状（トポグライー）の計測や、ＬＡＳＩＫや角膜内皮移植などの施術後の状態の観察、または緑内障のための隅角観察などが可能なため、さまざまな用途で本発明に係る前眼部光干渉断層撮影装置が使用されている。また、最近では眼内レンズの１つであるトーリックＩＯＬの施術のためのガイド機能としても利用されている。
【０００８】
特に、トーリックＩＯＬの施術のためのガイド機能として利用するためには、角膜形状の計測値（曲率分布、乱視軸角度）が重要となる。
【０００９】
特許文献１には、フーリエドメインＯＣＴ計測の原理的問題である折り返し像に関する問題を解決することを課題とし、フーリエドメインＯＣＴの１つである波長走査型光源を用いた光周波数掃引ＯＣＴ（ＳＳ−ＯＣＴ）を例に、検出された干渉光に基づく画像が正規の像か折り返し像かを判定し、判定結果に基づいて干渉光から測定対象を計測する方法が開示されている。
【００１０】
特許文献１のＳＳ−ＯＣＴや他のフーリエドメインＯＣＴであるＳＤ−ＯＣＴでは、特許文献１に開示されているように、ゼロ点（参照光路長と測定光路長が等しい位置）を中心に正規の画像と折り返し画像が取得される（特許文献１の図１５参照）。
【００１１】
サンプリングされた干渉信号はフーリエ変換され、周波数に基づいた（深さ距離に基づいた）強度信号が得られる。フーリエドメインＯＣＴは、通常この強度信号を処理して断層像が得られる。
【先行技術文献】
【特許文献】
【００１２】
【特許文献１】特開２０１１−１７４９２０号公報
【発明の開示】
【発明が解決しようとする課題】
【００１３】
ところが、フーリエドメインＯＣＴには測定可能距離に限度があり、測定可能距離から外れた領域外の信号は折り返しされ測定可能範囲の信号と重なって観測される。
【００１４】
通常、正規の画像は測定可能範囲の信号として観測され、測定可能範囲から外れた折り返し画像は正規の画像に重なって観測される。
【００１５】
角膜から水晶体までの範囲の断層像を取得することを目的とした前眼部光干渉断層撮影装置（前眼部解析装置）の場合、角膜からより深い位置までの断層像を取得したいという目的や、ゼロ点に近い程感度が高いという原理的な理由から、従来、角膜の直前にゼロ点を設定される。そのため、前眼部断層像の折り返し画像は前方から折り返されて重なるため、（前眼部断層像の）折り返し画像の睫毛や瞼の像が正規の前眼部断層像の角膜部に重なって観測され、角膜形状が正確に測定できないという問題があった。
【００１６】
本発明は、上記の課題を解決するものであり、折り返し画像の睫毛や瞼の像が、前眼部断層像の角膜部に重なることを回避して、正確な角膜形状の測定が可能な前眼部光干渉断層撮影装置を提供することを目的とする。
【課題を解決するための手段】
【００１７】
上記目的を解決するために本発明は、前眼部光干渉断層撮影装置において、干渉光学系のゼロ点位置（測定光路長と参照光路長が一致する位置）を水晶体の中心から水晶体の後面の間に設定することを特徴する。
【００１８】
干渉光学系のゼロ点位置を水晶体の中心から水晶体の後面の間に設定することにより、前眼部断層像の折り返し像は水晶体より後方（硝子体の方向）から折り返されて正規の画像（前眼部断層像）重なるため、折り返し画像の睫毛や瞼の像が、前眼部断層像の角膜部に重なることが避けられ、正確な角膜形状の測定が可能になる。
【００１９】
さらに、ゼロ点位置を水晶体の中心から水晶体の後面の間に設定したため、角膜から前房、虹彩、水晶体前面まで折り返し像の影響を受けない画像が取得可能になり、前眼部の形態計測（角膜、前房、虹彩、水晶体の位置測定）の精度も向上できる。
【発明の効果】
【００２０】
上述のように、本発明によれば、折り返し画像の睫毛や瞼の像が、前眼部断層像の角膜部に重なることが避けられ、正確な角膜形状の測定が可能になると共に、角膜から前房、虹彩、水晶体前面までの断層像に対しても、折り返し画像の影響を受けることなく撮影可能であることから、精度の高い形態計測（角膜、前房、虹彩、水晶体の位置測定）が可能になるのである。
【図面の簡単な説明】
【００２１】
【図１】本発明に係る前眼部光干渉断層撮影装置の一実施例の光学系の構成を示す図
【図２】本発明に係る前眼部光干渉断層撮影装置の電気的構成を概略的に示すブロック図
【図３】制御装置が実行する断層画像の撮影の処理手順を示すフローチャート
【図４】ＯＣＴにおけるラスタースキャン方式を説明するための図
【図５】ＯＣＴにおけるラジアルスキャン方式を説明するための図
【図６】角膜直前のゼロ点を設定した場合（従来の設定ゼロ点位置）の正規の像（断層像）と折り返し像を説明するための図
【図７】折り返し像の睫毛が正規の断層像に重なって撮影された実際のＯＣＴ画像の一例を説明するための図
【図８】本発明に係る、ゼロ点位置を水晶体の中心から水晶体後面の間に設定した場合の正規の像（断層像）と折り返し像を説明するための図
【図９】本発明に係る、ゼロ点位置を水晶体の中心から水晶体後面の間に設定して撮影された実際のＯＣＴ画像の一例を説明するための図
【図１０】水晶体像（水晶体の断層像）を観察するための方法の１例を説明するための図
【発明を実施するための形態】
【実施例】
【００２２】
以下、本発明の一実施例について、図１から図３を参照しながら説明する。
【００２３】
図２は、本実施例に係る前眼部光干渉断層撮影装置１の電気的構成を概略的に示している。尚、この前眼部光干渉断層撮影装置１は、隅角計測、角膜曲率、角膜厚分布、前房深度の測定等の、被検者の眼球（被検眼Ｅ）の前眼部Ｅｃ（図１参照）の眼科検査のために用いられる装置であり、光干渉断層法（Optical Coherence Tomography：ＯＣＴ）により被検眼Ｅの前眼部Ｅｃの断層画像を撮影するものである。
【００２４】
ここで、図示はしないが、前眼部光干渉断層撮影装置１の装置本体は、保持台に対して、Ｘ方向（左右方向）及びＹ方向（上下方向）並びにＺ方向（前後方向）に移動可能に支持されている。装置本体の前面側（被検者側）には、顎受け部及び額当て部が、前記保持台に対して固定的に設けられている。被検者が、前記顎受け部に顎を載せると共に額当て部に額を当てることにより、被検者の眼（被検眼Ｅ）が、装置本体の前面に設けられた撮影用の（光の出入りが行われる）検査窓の正面に配置されるようになっている。
【００２５】
このとき、図２に示すように、この前眼部光干渉断層撮影装置１には、前記装置本体を前記保持台に対して、Ｘ方向、Ｙ方向、Ｚ方向に夫々自在に移動させるための本体駆動部２が設けられている。詳しい説明は省略するが、この本体駆動部２は、Ｘ方向移動モータ、Ｙ方向移動モータ、Ｚ方向移動モータなどを備えた周知構成を備えており、制御装置３により制御されるようになっている。後述するように、この本体駆動部２及び制御装置３は、アライメント光学系４等と共にアライメント手段及びオートアイトラッキング手段を構成するようになっている。
【００２６】
前記装置本体には、図２に示すように、ＣＰＵ，メモリ等からなるマイクロコンピュータを含んで構成され全体の制御を行う制御装置３、前眼部Ｅｃの断層画像を取得する断層画像取得手段としてのＯＣＴシステム５、被検眼Ｅの正面画像を撮影する撮像手段を構成する前眼部撮像系６、アライメント光学系４が設けられている。このアライメント光学系４は、上記のようにアライメント手段及びオートアイトラッキング手段を構成すると共に、角膜頂点位置検出手段を構成する。これらＯＣＴシステム５、前眼部撮像系６、アライメント光学系４の詳細については後述する。
【００２７】
さらに、装置本体には、後面（検者）側に位置して、被検眼正面画像等を表示する表示装置としてのモニタ７や、検者（オペレータ）が各種操作を行うためのキー操作部８が設けられている。図示はしないが、前記キー操作部８には、測定開始スイッチ等が含まれている。また本実施例では、前記モニタ７の画面上には、種々の操作手段として機能するタッチパネル９が設けられている。尚、前記制御装置３には、撮影した三次元画像の画像データ等を記憶する記憶部１０が接続されている。
【００２８】
図１は、上記した光学系、即ち、ＯＣＴシステム５、前眼部撮像系６、アライメント光学系４の構成を示している。以下、これらについて順に述べる。前記ＯＣＴシステム５は、光干渉断層法により前眼部Ｅｃの断層画像（断面画像）を得るものである。本実施例では時間的に波長を変化させて走査する波長走査光源１１を用いたフーリエドメイン（光周波数掃引）方式が採用されている。
【００２９】
即ち、波長走査光源１１から出力された光は、光ファイバ１２ａを通して第１のファイバーカプラ１３に入力され、この第１のファイバーカプラ１３において、例えば１：９９の比率で、参照光と測定光とに分波されて出力される。そのうち参照光は、光ファイバ１２ｂを通って第１のサーキュレータ１４の入力部に入力され、更にこの第１のサーキュレータ１４の入出力部から光ファイバ１２ｃを通ってその端部から出力され、複数個のコリメータレンズ１５を通って参照ミラー１６に入射される。
【００３０】
そして、参照ミラー１６にて反射された参照光が、再び、複数個のコリメータレンズ１５を通って光ファイバ１２ｃの端部から入力され、光ファイバ１２ｃを通って第１のサーキュレータ１４の入出力部から入力される。そして、第１のサーキュレータ１４の出力部から出力された参照光は、光ファイバ１２ｄを通って第２のファイバーカプラ１７の第１の入力部に入力される。
【００３１】
一方、前記第１のファイバーカプラ１３から出力された測定光は、光ファイバ１２ｅを通って第２のサーキュレータ１８の入力部に入力され、さらにこの第２のサーキュレータ１８の入出力部から光ファイバ１２ｆを通ってその端部から出力される。光ファイバ１２ｆの端部から出力された測定光は、コリメータレンズ１９を通ってガルバノスキャナ２０に入力される。ガルバノスキャナ２０は、測定光を走査させるためのもので、ガルバノドライバ２１により駆動されるようになっている。
【００３２】
前記ガルバノスキャナ２０から出力された測定光は、波長が長い側の光を反射させ短い側の光を透過させるホットミラー２２により９０度の角度で反射され、対物レンズ２３を通して前記検査窓から出射され、被検眼Ｅに入射される。被検眼Ｅに入射された測定光は、前眼部Ｅｃの各組織部分（角膜、前房、虹彩、水晶体等）にて反射し、その反射光が、検査窓から入射され、上記と逆に、対物レンズ２３、ホットミラー２２、ガルバノスキャナ２０、コリメータレンズ１９を順に通って、光ファイバ１２ｆの端部から入力される。
そして、その反射光は、光ファイバ１２ｆを通って前記第２のサーキュレータ１８の入出力部から入力され、第２のサーキュレータ１８の出力部から出力され、光ファイバ１２ｇを通って前記第２のファイバーカプラ１７の第２の入力部に入力される。
【００３３】
この第２のファイバーカプラ１７において、前眼部Ｅｃからの反射光と、前記光ファイバ１２ｄを通って入力された参照光とが、例えば５０：５０の比率で合波され、その信号が光ファイバ１２ｈ、１２ｉを介して検出器２４に入力される。検出器２４においては、波長毎の干渉が計測され、計測された干渉信号が、前記制御装置３に設けられたＡＤボード２５に入力される。さらに、制御装置３に設けられた演算部２６において、干渉信号に対するフーリエ変換などの処理が行われ、もって走査線に沿う前眼部Ｅｃの断層画像が取得されるのである。
【００３４】
このとき、詳しくは後述するように、前記ガルバノスキャナ２０による測定光のスキャンパターン言い換えると走査線（Ｂ−スキャン）の方向は、制御装置３において設定されるようになっている。そして、制御装置３（演算部２６）からの指令信号に基づいてガルバノドライバ２１がガルバノスキャナ２０を制御するようになっている。尚、得られた前眼部Ｅｃの断層画像のデータは、必要な屈折補正が行われた後、前記記憶部１０に記憶される。また、図１に模式的に示しているように、その断層画像Ｔを前記モニタ７に表示させることができる。
【００３５】
次に、前記前眼部撮像系６は、照明光源２７，２７、前記対物レンズ２３、前記ホットミラー２２、コールドミラー２８、結像レンズ２９、ＣＣＤカメラ３０、光学制御部３１を備えて構成される。照明光源２７，２７は、被検眼Ｅの正面に可視光領域の照明光を照射するようになっており、被検眼Ｅからの反射光が、前記検査窓から前記対物レンズ２３、ホットミラー２２、コールドミラー２８、結像レンズ２９を通って、ＣＣＤカメラ３０に入力される。これにて、被検眼Ｅの正面画像Ｆが撮影され、撮影された画像データは、光学制御部３１によって画像処理が行われて、前記モニタ７に表示されるようになる。
【００３６】
そして、前記アライメント光学系４は、より詳細には、被検者が固視灯を見つめることにより眼球（被検眼Ｅ）を極力動かさないようにさせるための固視灯光学系、被検眼Ｅ（角膜頂点）のＸＹ方向の位置（本体に対する上下左右の位置ずれ）を検出するためのＸＹ方向位置検出系、被検眼Ｅ（角膜頂点）の前後方向（Ｚ方向）の位置を検出するためのＺ方向位置検出系を含んで構成されている。
【００３７】
そのうち固視灯光学系は、固視灯３２、コールドミラー３３、リレーレンズ３４、ハーフミラー３５、前記コールドミラー２８、前記ホットミラー２２、前記対物レンズ２３などから構成されている。これにて、固視灯３２から出力された光（例えば緑色の光）は、コールドミラー３３、リレーレンズ３４、ハーフミラー３５、コールドミラー２８、ホットミラー２２、レンズ２３を順に介
して、検査窓から被検眼Ｅに向けて出力されるようになっている。
【００３８】
前記ＸＹ方向位置検出系は、ＸＹ位置検出光源３６、前記コールドミラー３３、前記リレーレンズ３４、前記ハーフミラー３５、前記コールドミラー２８、前記ホットミラー２２、前記対物レンズ２３、結像レンズ３７、位置センサ３８などを備えて構成されている。前記ＸＹ位置検出光源３６からは、位置検出用のアライメント光が出力され、コールドミラー３３、リレーレンズ３４、ハーフミラー３５、コールドミラー２８、ホットミラー２２、対物レンズ２３を介して、検査窓から被検眼Ｅの前眼部Ｅｃ（角膜）に向けて出射される。
【００３９】
このとき、被検眼Ｅの角膜表面が球面状をなすことにより、アライメント光は、被検眼Ｅの角膜頂点の内側で輝点像を形成するようにして角膜表面で反射され、その反射光が、検査窓から入射されるようになっている。角膜頂点からの反射光（輝点）は、対物レンズ２３、ホットミラー２２、コールドミラー２８、ハーフミラー３５、結像レンズ３７を介して位置センサ３８に入力される。位置センサ３８によってその輝点の位置が検出されることにより、角膜頂点の位置（Ｘ方向及びＹ方向の位置）が検出されるようになっている。尚、前記輝点は、ＣＣＤカメラ３０の撮影画像（モニタ７の表示画像）にも写り込むものとなる。
【００４０】
前記位置センサ３８の検出信号は、前記光学制御部３１ひいては制御装置３に入力される。この場合、位置センサ３８と前記前眼部撮像系６（ＣＣＤカメラ３０やモニタ７）との間でのアライメントが取られていると共に、角膜頂点の所定（正規）の画像取得位置（断層画像取得時に追従させるべき位置）が設定されている。角膜頂点の正規の画像取得位置としては、例えば、ＣＣＤカメラ３０の撮影画像の中心位置（前記モニタ７の画面中心位置）と一致する点とされている。前記制御装置３は、位置センサ３８の検出に基づいて、正規の位置に対する、検出された角膜頂点（輝点）のＸ方向及びＹ方向の位置ずれ量（この場合モニタ７の画面中心からの位置ずれ量）を求めるようになっている。
【００４１】
前記Ｚ方向位置検出系は、Ｚ方向位置検出光源３９、結像レンズ４０、ラインセンサ４１を備えて構成されている。Ｚ方向位置検出光源３９は、被検眼Ｅに対して斜め方向から検出用の光（スリット光又はスポット光）を照射し、角膜からの斜め方向の反射光が、結像レンズ４０を介してラインセンサ４１に入射されるようになっている。このとき、装置本体に対する被検眼Ｅの前後方向（Ｚ方向）の位置によって、ラインセンサ４１に入射される反射光の入射位置が異なるようになるので、被検眼Ｅの装置本体に対するＺ方向の位置（距離）が検出されるのである。
【００４２】
ラインセンサ４１の検出信号は、前記制御装置３に入力されるようになっている。このとき、制御装置３には、被検眼Ｅ（角膜）の装置本体に対する適切なＺ方向位置（距離）が予め設定されており、ラインセンサ４１の検出に基づいて、被検眼Ｅの適切な位置に対するＺ方向のずれ量を求めることができるのである。
【００４３】
そして、制御装置３は、前記ＸＹ方向位置検出系により検出された角膜頂点（輝点）のＸ方向及びＹ方向の位置ずれ量、並びに、前記Ｚ方向位置検出系により検出された被検眼ＥのＺ方向の位置ずれ量に基づいて、それらの位置ずれ量を全て０にするように、本体駆動部２を制御し、装置本体を保持台に対して移動させる。このとき、制御装置３は、断層画像取得を開始するにあたって、角膜頂点の位置を所定の画像取得位置に一致させるように前記装置本体を前記保持台に対して移動させるようになっていると共に、断層画像の取得処理中にも、角膜頂点と装置本体との位置関係を一定に保つように、該装置本体を追従移動させるようになっている。これにより、アライメント手段及びオートアイトラッキング手段が構成されているのである。
【００４４】
次に、上記構成の前眼部光干渉断層撮影装置１の作用について、図３を参照して述べる。図３のフローチャートは、被検眼Ｅの前眼部Ｅｃの断層画像を撮影する際に制御装置３が実行する処理手順を示している。
【００４５】
ここで、被検者が顎受け部に顎を載せると共に額当て部に額を当て、被検眼Ｅを装置本体の検査窓の正面に配置させた状態で、前眼部Ｅｃの断層画像の取得の処理が開始（前眼部断層撮影プログラムが起動）されると、まず、ステップＳ１にて、前眼部撮像系６（ＣＣＤカメラ３０）により撮影された被検眼Ｅの現在の正面画像が、モニタ７に表示されると共に、その画面中心を水平方向に延びる走査線に沿ってスキャンした前眼部Ｅｃの現在の断層画像が併せてモニタ７に表示される（図２参照）。但し、この時点では、それら正面画像及び断層画像のデータがメモリに取込まれることはない。
【００４６】
この後、検者が測定開始スイッチをオン操作すると（ステップＳ２）、ステップＳ３にて、アライメント光学系４等によるＸ，Ｙ，Ｚ方向のアライメントが開始され、角膜頂点認識用の輝点が正規の位置と一致したところで（ステップＳ４にてＹＥＳ）、アライメントが完了する。続いて、ステップＳ５に移行し、ＯＣＴシステム５により、前眼部Ｅｃの断層画像の取得処理が実行される。この断層画像の取得処理中は、オートアイトラッキングが機能し、角膜頂点認識用の輝点が常に正規の位置（ＣＣＤカメラ３０の撮影画像の中心位置）に来るように、アライメント光学系４等により装置本体を追従移動させる。
【００４７】
ステップＳ５における断層画像の取得処理は、本実施例では、図５に示すラジアルスキャンの方式により、前眼部Ｅｃの断層画像が全領域に亘って取得される。つまり、Ｂ−スキャン方向を放射方向とし、Ｃ−スキャン方向を円周方向として断層画像の取込みを行うようになっている。このとき、被検眼Ｅのずれ動きがあっても、オートアイトラッキングにより装置本体と被検眼との位置関係が一定に保たれることによって、走査線が角膜頂点を通る直線上からずれることを未然に防止することができることは勿論である。ステップＳ６では、取得（撮影）された断層画像のデータが、メモリに取込まれる。
【００４８】
次のステップＳ７では、上記各断層画像のデータの屈折補正処理が行われる。この処理は、ほぼ球面状をなす角膜（角膜表面及び前房との境界面）において、測定光が屈折するため、得られたそのままの断層画像には歪みが生じており、その角膜屈折に対する画像データの補正を行うものである。補正処理が行われた画像データは、記憶部１０に記憶される。
【００４９】
図３のフローチャートで被検眼Ｅの前眼部Ｅｃの断層画像を取得する手順を説明したが、本発明に係るフーリエドメインＯＣＴの場合、断層画像の取得を開始する位置（測定光路長と参照光路長が一致する位置であり、通常この位置をゼロ点と呼ぶ）を予め設定する。このゼロ点位置の設定は、参照光路にある参照ミラー１６を移動して行われ、通常、参照ミラー１６は光軸に対して移動可能となっており、断層画像の撮影前（Ｓ５の前）にゼロ点の設定を行うようになっている。
【００５０】
従来は、このゼロ点の位置を角膜直前に設定される。図６は、従来のように、ゼロ点の位置を角膜直前の位置Ｔ０に設定した場合の正規の断層画像と折り返し画像を示した図である。ゼロ点を挟んで、折り返し像が正規の断層像の近くに取得されるため、折り返し像の睫毛の像が正規の断層像と重なって観測されることがわかる。
【００５１】
図７は、図６の一例として、実際の前眼部ＯＣＴ画像を示したものである。点線の白丸で示された部分で、折り返し像の睫毛の像が重なって観測されることがわかる。そのため、角膜形状（角膜上皮の曲率分布図、トポグライー）の計測が周辺まで正確に行うことができず、これにより、乱視軸角度や曲率分布が正しく計測できないという問題があった。
【００５２】
図８は、本発明に係るゼロ点Ｔ０の位置を水晶体の中心から水晶体後面の間に設定した場合の正規の像（断層像）と折り返し像を説明するための図である。図８に示すようにゼロ点Ｔ０を水晶体の中心から後面の間に設定することにより、折り返し像の睫毛や瞼の像が正規の断層像の角膜像の部分に重なることが避けられ、角膜形状（角膜上皮の曲率分布図、トポグライー）の計測が周辺まで正確に行うことができる。これにより、乱視軸角度や曲率分布が正しく計測できるのである。
【００５３】
また、図８から明らかなように、本発明に係る方法を用いれば、折り返し像は正規の断層像の角膜から虹彩、水晶体前面まで重なることがないため、前眼部の形態計測（角膜、前房、虹彩、水晶体の位置測定）の精度も向上できるのである。
【００５４】
図９は、本発明に係るゼロ点Ｔ０の位置を水晶体の中心から水晶体後面の間に設定して撮影された実際のＯＣＴ画像の一例を示したものである。図右上の点線の灰色円の部分や角膜部の画像からわかるように、図７のように角膜に折り返し像の睫毛や瞼の像が重ならない。
【００５５】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。
【００５６】
例えば、本発明に係る方法ではゼロ点Ｔ０の位置を水晶体の中心から水晶体後面の間に設定するため、水晶体部については折り返し像が重なって観察されるため、水晶体部分の像の観察が困難になる。この場合、ゼロ点Ｔ０の位置を移動させてもいいが、その都度ゼロ点ＴＯの位置を移動させるのは面倒な操作である。図１０は、その問題の解決案の１例を示したものである。つまり、集光点の位置をずらす（眼のアライメント位置を前後にずらす）ことにより、ゼロ点ＴＯの位置を移動させることなく、折り返し像の影響を受けない水晶体像が観察できるのである。
【符号の説明】
【００５７】
１・・前眼部光干渉断層撮影装置２・・波長走査光源３・・制御装置（走査線設定手段）４・・アライメント光学系（角膜頂点位置検出手段，アライメント手段，オートアイトラッキング手段）５・・ＯＣＴシステム（断層画像取得手段）６・・前眼部撮像系（撮像手段）７・・モニタ（表示装置）９・・タッチパネル（指定手段）Ｅ・・被検眼Ｅｃ・・前眼部
【図１】
2016041162.tif 000003
【図２】
2016041162.tif 000004
【図３】
2016041162.tif 000005
【図４】
2016041162.tif 000006
【図５】
2016041162.tif 000007
【図６】
2016041162.tif 000008
【図７】
2016041162.tif 000009
【図８】
2016041162.tif 000010
【図９】
2016041162.tif 000011
【図１０】
2016041162.tif 000012